(57)【要約】【課題】高齢者でも容易に且つ継続してゲームを興味をもって楽しむことができ、延いては身体や脳の活性化にも貢献できる遊戯具を提供することができる。【解決手段】ゲーム盤と、ゲーム盤面を滑り移動する扁平な円柱状のパックと、パックを突き移動させるための棒状のキューと、を備え、前記ゲーム盤には、一方にスタート地点と他方にゴール地点を設け、ゴール地点にホール穴を配設し、スタート地点とゴール地点の間には多数の小孔を形成し、さらに小孔を利用して盤面上から突出する障害物を設置し、キューを用いてパックを突くことによりパックを盤面上に滑走させながらパックをホール穴に入れることを特徴とする。【選択図】図１
2019154742.tif 000002
【特許請求の範囲】
【請求項１】
ゲーム盤と、ゲーム盤面を滑り移動する扁平な円柱状のパックと、パックを突き移動させるための棒状のキューと、を備え、前記ゲーム盤には、一方にスタート地点と他方にゴール地点を設け、ゴール地点にホール穴を配設し、スタート地点とゴール地点の間には多数の小孔を形成し、さらに小孔を利用して盤面上から突出する障害物を設置し、キューでパックを突くことによりパックを盤面上に滑らせながらパックを移動させホール穴に入れることを特徴とする遊戯具。
【発明の詳細な説明】
【技術分野】
【０００１】
本発明は、高齢者でも体力的に無理なく身体を動かしてゲームを楽しむことができる遊戯具に関する。
【背景技術】
【０００２】
高齢者になれば体力が徐々に低下して行き、無理のある動きの伴うスポーツは続けることが肉体的に困難になる。
【発明の概要】
【発明が解決しようとする課題】
【０００３】
しかしながら、高齢者は何もしないと、身体や脳の老化が進行してゆく一方になる。
【０００４】
本発明は、上記事情に鑑みて、高齢者でも容易に且つ継続してゲームを興味をもって楽しむことができ、延いては身体や脳の活性化にも貢献できる遊戯具を提供することを目的とする。
【課題を解決するための手段】
【０００５】
上記目的を達成するために本発明に係る請求項１記載の発明は、ゲーム盤と、ゲーム盤面を滑り移動する扁平な円柱状のパックと、パックを突き移動させるための棒状のキューと、を備え、前記ゲーム盤には、一方にスタート地点と他方にゴール地点を設け、ゴール地点にホール穴を配設し、スタート地点とゴール地点の間には多数の小孔を形成し、さらに小孔を利用して盤面上から突出する障害物を設置し、キューでパックを突くことによりパックを盤面上に滑らせながら移動させパックをホール穴に入れることを特徴とする。
【発明の効果】
【０００６】
本発明によれば、台の上に略水平にゲーム盤を置き、ゲーム盤の一方側からキューの先端を突き当ててパックを打てば、パックはゲーム盤の小孔の存在と相まってスムーズに盤面を滑りながら移動し、盤面上にある障害物を避けながら何打で他方側にあるホール穴に入るかで勝敗を争うゲーム形式で行うことができるので、恰もゴルフを行っているような感覚でゲームに興味をもって楽しむことができ、しかも体の動かし方も無理がなく、高齢者でも継続的に行うのに頗る好適な遊戯具を提供することができる。
【図面の簡単な説明】
【０００７】
【図１】本遊戯具の一実施形態例を示すもので、（イ）はゲーム盤の平面図、（ロ）はゲーム盤を台に置いたときの正面図、（ハ）は分割されたゲーム盤の連結状態を示す説明図である。
【図２】障害物の一例を示す斜視図である。
【図３】（イ）はパックの一実施例を示す正面図、（ロ）は分解説明図である。
【図４】キューの一実施形態例を示す説明図である。
【発明を実施するための形態】
【０００８】
以下、図面に基づいて本遊戯具を説明する。
図１（イ）（ロ）（ハ）は代表的な実施形態例を示すもので、１はゲーム盤で、ゲーム盤１の長さ及び幅寸法は特に限定はしないが、本実施形態例では長さ２，７４０mm、幅は１，５２０mmのものを使用した。ゲーム盤１の盤面にはスタート側２とゴール側３を除き全域に亘って略５mm位の小孔４，４…が多数形成してある。盤面ゴール側３には直径７０mm〜８０mm程度のホール穴５が幅方向に複数並設されている。盤面はある程度華やかな彩色を施しておくことが好ましい。
複数設けたホール穴５，５はゲームの面白みを増すために適宜選択した場所のホール穴５を選んで一つだけ使用できるようにしておき、他のホール穴５は蓋６を被せて塞いで使用できないようにしておく。ホール穴５には金属製のカップ５Ａを嵌め込んでおけば、後述するパック９がホール穴５に入った場合に音で確認できるので好ましい。
また、ゲーム盤１の材質は、特に限定はしないが、本実施形態例では、軽さと強靭さを備えており、且つ表面にある程度の滑性を有している硬質発泡樹脂を使用した。さらに、持ち運びの利便性を考慮し、ゲーム盤１は３分割できるようにしておくことが望ましく、分割されたゲーム盤の連結は、図１（ハ）に示すように、コの字型の連結部材７を小孔４，４に差し込んで分離した各ゲーム盤を結合すればよい。
【０００９】
８はゲーム盤１に盤面から突出して設ける障害物である。障害物６は、図２に示すように盤面上から突出する顕在部８Ａと、前記小孔４に嵌め込んで盤面に着脱可能に取り付けるための保持ピンとしての潜在部８Ｂと、から成っている。顕在部８Ａの形状は円形、楕円形、方形、島形状や木の形を模したもの等、多様な形態のものを事前に用意しておけば、ゲームの興味が一層向上する。
障害物８は、ゲームを面白くするためには、ホール穴５に容易に入れられない箇所を選んで盤面上の適宜位置に小孔４を利用して複数個設置するものである。
【００１０】
９は盤面を滑らして移動させるパックである。パック９は扁平円柱状をしており、盤面を安定して滑走させるためにある程度の重みを付与しておく。本実施形態例では、図３（イ）（ロ）に示すように、真ん中に重り付与のための金属製ドーナツ部９Ａを配設し、上下から木製の蓋部９Ｂ，９Ｂを嵌め込んで一体的に形成してある。パック９の大きさはホール穴５に無理なく入る大きさであり、例えば直径５０mm位である。また、パック９は盤面の彩色に応じ単一色又は複数色の色を付けておくことが好ましい。
【００１１】
１０はパックの側面を先端で突く棒状のキューであり、図４に示すように、先端から基端に徐々に径が大きくなっており、先端から基端までの長さは９００mm〜１，２００mm位であり、キュー１０の先端にはパック９に的確にヒットし易くなるように先端よりも一回り大きな硬質樹脂製の突き当て部１０Ａがネジにより着脱可能に取り付けられており、基端には衝撃吸収用の保護キャプが取り付けてある。
【００１２】
次に、本遊戯具を使ってのゲームの仕方の一例について説明する。
まず、本遊戯具のゲーム盤１を台１１に載置する。楽な姿勢でゲームを楽しむために台１１の高さは７００mm前後が望ましい。
次に、複数個あるホール穴５，５のうち今回使用するものを一つ選び、他のホール穴５を蓋６で塞いでおく。
次いで、ゲーム盤１の盤面上に小孔４，４を利用して複数の障害物８を設置する。この際、ホール穴５の位置を勘案し、ホール穴５に入れることが困難になる場所を選んで障害物を設置する方がゲームの興味を増す意味から好ましい。
【００１３】
以上のように、事前の準備をした後、スタート側の位置にパック９を置き、ビリヤードをするが如く、キュー１０の突き当て部１０Ａでパック９の側面を突くことによって、パック９を盤面上に滑走させる。この際、盤面には多数の小孔４が設けてあるので、パック９は盤面上をスムーズに滑りながら安定して移動する。
このようにして、障害物８を避けながらホール穴５にパック９を入れるもので、この間どれだけの突き数で入れたかによって勝敗を争うものであり、この点のルールはゴルフと同じである。
【符号の説明】
【００１４】
１    ゲーム盤
２    スタート側（スタート地点）
３    ゴール側（ゴール地点）
４    小孔
５    ホール穴
８    障害物
９    パック
１０  キュー
【図１】
2019154742.tif 000003
【図２】
2019154742.tif 000004
【図３】
2019154742.tif 000005
【図４】
2019154742.tif 000006